(57)【要約】【課題】放射線変換パネルに応じた適切な放射線画像情報を得ることのできる放射線画像撮影システム及びその調整方法を提供する。【解決手段】本発明は、放射線画像撮影システム及びその調整方法に関するものであり、パネル選択部６４により選択した放射線変換パネル１８の感度特性に対応して、撮影条件設定部６８によりターゲット２４、フィルタ２６、管電圧を放射線源１４及び線源制御装置１６に設定し、その撮影条件で被写体１２の放射線画像情報を放射線変換パネル１８に記録する。また、画像処理条件設定部７４は、選択した放射線変換パネル１８の感度特性に対応した画像処理条件を画像処理部７０に設定し、その画像処理条件に従い、放射線変換パネル１８から取得した放射線画像情報に対する画像処理を行う。【選択図】図１
2010000272.tif 000002
【特許請求の範囲】
【請求項１】
放射線を出力する放射線源と、
被写体を透過した前記放射線が照射され、前記放射線を前記被写体の放射線画像情報に変換する放射線変換パネルと、
前記放射線変換パネルの感度特性に応じた撮影条件を設定する撮影条件設定部と、
を備え、設定された前記撮影条件に基づいて前記放射線源を調整し、前記放射線を前記被写体に照射することを特徴とする放射線画像撮影システム。
【請求項２】
請求項１記載のシステムにおいて、
前記撮影条件設定部は、前記放射線変換パネルの感度特性に応じた前記放射線を出力する前記放射線源のターゲットを前記撮影条件として設定することを特徴とする放射線画像撮影システム。
【請求項３】
請求項１記載のシステムにおいて、
前記撮影条件設定部は、前記放射線変換パネルの感度特性に応じた前記放射線を出力する前記放射線源のフィルタを前記撮影条件として設定することを特徴とする放射線画像撮影システム。
【請求項４】
請求項１記載のシステムにおいて、
前記撮影条件設定部は、前記放射線変換パネルの感度特性に応じた前記放射線を出力する前記放射線源の管電圧を前記撮影条件として設定することを特徴とする放射線画像撮影システム。
【請求項５】
請求項１記載のシステムにおいて、
前記放射線変換パネルから取得した放射線画像情報を処理する画像処理部を備え、前記画像処理部は、前記放射線変換パネルの感度特性に応じた画像処理条件を設定し、前記放射線画像情報に対する画像処理を行うことを特徴とする放射線画像撮影システム。
【請求項６】
請求項１〜５のいずれか１項に記載のシステムにおいて、
前記放射線変換パネルは、前記放射線をデジタル情報としての前記放射線画像情報に変換することを特徴とする放射線画像撮影システム。
【請求項７】
放射線源から出力された放射線を被写体に照射し、前記被写体を透過した前記放射線を放射線変換パネルにより放射線画像情報に変換する際、前記放射線変換パネルの感度特性に応じた撮影条件に従って前記放射線源を調整し、前記放射線を前記被写体に照射することを特徴とする放射線画像撮影システムの調整方法。
【請求項８】
請求項７記載の方法において、
前記撮影条件は、前記放射線変換パネルの感度特性に応じた前記放射線を出力する前記放射線源のターゲットを設定する条件であることを特徴とする放射線画像撮影システムの調整方法。
【請求項９】
請求項７記載の方法において、
前記撮影条件は、前記放射線変換パネルの感度特性に応じた前記放射線を出力する前記放射線源のフィルタを設定する条件であることを特徴とする放射線画像撮影システムの調整方法。
【請求項１０】
請求項７記載の方法において、
前記撮影条件は、前記放射線変換パネルの感度特性に応じた前記放射線を出力する前記放射線源の管電圧を設定する条件であることを特徴とする放射線画像撮影システムの調整方法。
【請求項１１】
請求項７記載の方法において、
前記放射線変換パネルの感度特性に応じて画像処理条件を設定し、前記放射線変換パネルから取得した放射線画像情報を処理することを特徴とする放射線画像撮影システムの調整方法。
【請求項１２】
請求項７〜１１のいずれか１項に記載の方法において、
前記放射線変換パネルは、前記放射線をデジタル情報としての前記放射線画像情報に変換することを特徴とする放射線画像撮影システムの調整方法。
【発明の詳細な説明】
【技術分野】
【０００１】
本発明は、放射線変換パネルを用いて被写体の放射線画像の撮影を行う放射線画像撮影システム及びその調整方法に関する。
【背景技術】
【０００２】
医療分野において、被写体に放射線を照射し、被写体を透過した放射線をＸ線フイルムや、放射線変換パネルに導いて放射線画像を撮影する放射線画像撮影装置が広汎に使用されている。
【０００３】
この場合、Ｘ線フイルムを用いたアナログ撮影では、最適な濃度又は画質（階調）からなる画像を得るため、被写体に照射するＸ線の線量及び線質（Ｘ線エネルギスペクトル）を使用するＸ線フイルムの特性に従って設定せざるを得ず、被写体の被曝量の低減を十分に考慮できないのが現状である。
【０００４】
そこで、放射線画像をデジタル的に撮影することのできる放射線変換パネルが開発されている。蓄積性蛍光体パネル（以下、ＩＰ（Imaging Plate）と称する。）は、蛍光体に放射線画像情報を放射線エネルギとして蓄積し、励起光を照射することで放射線画像情報を輝尽発光光として取り出すことのできる放射線変換パネルである。放射線画像情報が記録されたＩＰは、読取装置に供給して読取処理を行うことで、可視画像としての放射線画像を得ることができる。
【０００５】
また、手術室等の医療現場においては、患者に対して迅速且つ的確な処置を施すため、放射線変換パネルから直ちに放射線画像情報を読み出して表示できることが要求される。このような要求に対応可能な放射線変換パネルとして、放射線を直接電気信号に変換し、あるいは、放射線をシンチレータで可視光に変換した後、電気信号に変換して読み出す固体検出素子を用いた放射線変換パネル（以下、ＦＰＤ（Flat Panel Detector）と称する。）が開発されている。
【０００６】
さらには、放射線変換パネルとして固体撮像素子（以下、ＣＣＤ（Charge Coupled Device）と称する。）を用いた放射線画像撮影装置がある。
【０００７】
これらの放射線変換パネルを用いたデジタル撮影では、取得した放射線画像情報がデジタル情報であるため、その放射線画像情報に対して濃度調整、階調調整等の任意の画像処理を施すことができる。そのため、被写体の被曝量の低減を考慮した線量及び線質からなる放射線を設定することができる。
【０００８】
ところで、このようなデジタル撮影を行うことのできる放射線変換パネルは、被写体の状態、撮影場所、撮影目的等に応じて、適宜選択することが望ましい。
【０００９】
例えば、ＩＰは、持ち運びが容易で、且つ、形状選択の自由度が高く、被写体の任意の部位の撮影が可能であるため、救急患者や移動困難な被写体の特殊な部位の撮影に適している。ＦＰＤは、迅速且つ高画質な画像取得が可能であるため、手術中や人間ドック等における撮影に適している。ＣＣＤは、ＩＰやＦＰＤに比較して画質の低下はあるものの、リアルタイムでの動画取得や、放射線の入射方向に依存しない放射線画像の取得が可能なため、例えば、カテーテルを用いて画像を確認しながら特定の処理を行う場合や、異なる方向から撮影した複数の放射線画像を合成して立体画像を形成するような撮影に適している。
【００１０】
ところで、デジタル撮影を行うための各放射線変換パネルは、それぞれが固有の感度特性を有しており、適切な放射線画像情報を得るためには、適切な撮影条件を放射線変換パネル毎に設定する必要がある。なお、撮影条件としては、例えば、放射線源の焦点サイズ、放射線変換パネルに照射されるＸ線のスペクトルを調整するフィルタ、管電圧、管電流、Ｘ線の照射時間、Ｘ線を出力するターゲットの種類等が挙げられる。
【００１１】
特許文献１では、低い線量の放射線を被写体を介して放射線変換パネルに照射して事前露光画像を取得し、この事前露光画像を用いて、焦点トラック（二重焦点トラックを備えるデバイスの場合）、使用するフィルタ、管電圧、グリッドの有無、焦点サイズ、管電流×照射時間の値等の撮影条件を設定する技術を開示している。
【００１２】
【特許文献１】特開２０００−１５７５２４号公報
【発明の開示】
【発明が解決しようとする課題】
【００１３】
しかしながら、引用文献１では、使用する放射線変換パネルが決まっており、その放射線変換パネルに対して、適切な放射線画像情報を得ることのできる撮影条件を設定可能としているだけであり、放射線変換パネルを選択した際に、選択した放射線変換パネルに応じた適切な撮影条件を設定するようにしたものではない。
【００１４】
本発明は、前記の課題を解決するためになされたものであり、放射線変換パネルに応じた適切な放射線画像情報を得ることのできる放射線画像撮影システム及びその調整方法を提供することを目的とする。
【課題を解決するための手段】
【００１５】
本発明は、放射線を出力する放射線源と、
被写体を透過した前記放射線が照射され、前記放射線を前記被写体の放射線画像情報に変換する放射線変換パネルと、
前記放射線変換パネルの感度特性に応じた撮影条件を設定する撮影条件設定部と、
を備え、設定された前記撮影条件に基づいて前記放射線源を調整し、前記放射線を前記被写体に照射することを特徴とする。
【００１６】
また、本発明は、放射線源から出力された放射線を被写体に照射し、前記被写体を透過した前記放射線を放射線変換パネルにより放射線画像情報に変換する際、前記放射線変換パネルの感度特性に応じた撮影条件に従って前記放射線源を調整し、前記放射線を前記被写体に照射することを特徴とする。
【発明の効果】
【００１７】
本発明では、放射線変換パネルが選択されたとき、その放射線変換パネルに応じた撮影条件を設定することにより、適切な放射線画像情報を得ることができる。
【発明を実施するための最良の形態】
【００１８】
図１は、本実施形態の放射線画像撮影システム１０の構成ブロック図である。
【００１９】
放射線画像撮影システム１０は、Ｘ線を出力して被写体１２に照射する放射線源１４と、放射線源１４を制御する線源制御装置１６と、被写体１２を透過したＸ線を放射線画像情報に変換する放射線変換パネル１８と、放射線源１４及び線源制御装置１６に対する撮影条件の設定、並びに、放射線変換パネル１８から取得した放射線画像情報に対する画像処理を行う処理装置２０とから基本的に構成される。
【００２０】
放射線源１４は、高電圧が印加されることで電子線を出力する陰極２２と、陰極２２から出力された電子線が入射することでＸ線を出力するターゲット２４と、ターゲット２４から出力されたＸ線のスペクトルを調整するフィルタ２６とを備える。ターゲット２４としては、放射線変換パネル１８の感度特性に応じて、Ｍｏ、Ｒｈ、Ｗ等の材料が選択して使用される。また、フィルタ２６としては、ターゲット２４との組み合わせで特性Ｘ線を選択的に取り出すことのできるＭｏ、Ｒｈ、Ａｌ等の材料が選択して使用される。
【００２１】
図２は、Ｍｏのターゲット２４から出力されるＸ線のエネルギ特性（実線）と、Ｍｏのフィルタ２６によるＸ線の吸収特性（点線）との関係を示す。なお、縦軸は、相対光子数を表す。Ｍｏのターゲット２４から出力されるＸ線は、Ｋα（１７．４ｋｅＶ）、Ｋβ（１９．５ｋｅＶ）において、強いエネルギ成分を有しており、Ｍｏのフィルタ２６は、Ｋα、Ｋβの特性Ｘ線を選択的に取り出す一方、２０ｋｅＶ以上の高エネルギのＸ線を除去し、放射線画像のコントラストを高めることができる。
【００２２】
線源制御装置１６は、放射線源１４の陰極２２に対して、被写体１２に応じて調整した管電圧を印加する管電圧調整器２８と、高電圧を発生させて管電圧調整器２８に供給する高電圧発生器３０と、技師によって操作される曝射スイッチ３２とを備える。
【００２３】
放射線変換パネル１８は、被写体１２の状態、撮影場所、撮影目的等に応じて、ＩＰ（Imaging Plate）、ＦＰＤ（Flat Panel Detector）、ＣＣＤ（Charge Coupled Device）から選択することができる。
【００２４】
図３は、放射線変換パネル１８の１つであるＦＰＤ３４の回路構成を示す。
【００２５】
放射線変換パネル１８は、Ｘ線を感知して電荷を発生させるアモルファスセレン（ａ−Ｓｅ）等の物質からなる光電変換層３６を行列状の薄膜トランジスタ（ＴＦＴ：Thin Film Transistor）３８のアレイの上に配置した構造を有し、発生した電荷を蓄積容量４０に蓄積した後、各行毎にＴＦＴ３８を順次オンにして、電荷を画像信号として読み出す。図３では、光電変換層３６及び蓄積容量４０からなる１つの画素４２と１つのＴＦＴ３８との接続関係のみを示し、その他の画素４２の構成については省略している。
【００２６】
各画素４２に接続されるＴＦＴ３８には、行方向と平行に延びるゲート線４４と、列方向と平行に延びる信号線４６とが接続される。各ゲート線４４は、ライン走査駆動部４８に接続され、各信号線４６は、読取回路を構成するマルチプレクサ５０に接続される。
【００２７】
ゲート線４４には、行方向に配列されたＴＦＴ３８をオンオフ制御する制御信号Ｖｏｎ、Ｖｏｆｆがライン走査駆動部４８から供給される。この場合、ライン走査駆動部４８は、ゲート線４４を切り替える複数のスイッチＳＷ１と、スイッチＳＷ１の１つを選択する選択信号を出力するアドレスデコーダ５２とを備える。アドレスデコーダ５２には、パネル制御部５４からアドレス信号が供給される。
【００２８】
また、信号線４６には、列方向に配列されたＴＦＴ３８を介して各画素４２の蓄積容量４０に保持されている電荷が流出する。この電荷は、増幅器５６によって増幅される。増幅器５６には、サンプルホールド回路５８を介してマルチプレクサ５０が接続される。マルチプレクサ５０は、信号線４６を切り替える複数のスイッチＳＷ２と、スイッチＳＷ２の１つを選択する選択信号を出力するアドレスデコーダ６０を備える。アドレスデコーダ６０には、パネル制御部５４からアドレス信号が供給される。マルチプレクサ５０には、Ａ／Ｄ変換器６２が接続され、Ａ／Ｄ変換器６２によってデジタル信号に変換された放射線画像情報がパネル制御部５４に供給される。
【００２９】
処理装置２０は、撮影に使用する放射線変換パネル１８を選択するパネル選択部６４と、放射線変換パネル１８に応じた撮影条件を記憶する撮影条件記憶部６６と、選択された放射線変換パネル１８に応じた撮影条件を撮影条件記憶部６６から読み出し、放射線源１４及び線源制御装置１６に設定する撮影条件設定部６８と、放射線変換パネル１８から読み出した放射線画像情報に対して画像処理を施す画像処理部７０と、放射線変換パネル１８に応じた画像処理条件を記憶する画像処理条件記憶部７２と、選択された放射線変換パネル１８に応じた画像処理条件を画像処理条件記憶部７２から読み出し、画像処理部７０に設定する画像処理条件設定部７４と、画像処理部７０によって画像処理された放射線画像情報を表示する表示部７６とを備える。
【００３０】
パネル選択部６４は、撮影する被写体１２の状態、撮影部位、撮影場所、撮影目的等に応じて、適切な放射線変換パネル１８を選択する。撮影条件記憶部６６に記憶される撮影条件は、選択された放射線変換パネル１８の感度特性に応じたＸ線を発生させることのできるターゲット２４、フィルタ２６、管電圧の組み合わせを、放射線変換パネル１８との関係で設定した条件である。画像処理条件記憶部７２に記憶される画像処理条件は、選択された放射線変換パネル１８の感度特性に応じて、適切なコントラストからなる放射線画像を得ることのできる画像処理条件である。
【００３１】
本実施形態の放射線画像撮影システム１０は、基本的には以上のように構成されるものであり、次に、この放射線画像撮影システム１０の調整方法について説明する。
【００３２】
先ず、処理装置２０のパネル選択部６４により、撮影する被写体１２の状態、撮影部位、撮影場所、撮影目的等に応じて、最適な放射線変換パネル１８を選択する。
【００３３】
例えば、救急患者や移動困難な被写体１２である場合、又は、特殊な撮影部位である場合、放射線変換パネル１８として、持ち運びが容易で、且つ、形状選択の自由度が高いＩＰを選択することができる。また、手術中や人間ドックのように、迅速且つ高画質の放射線画像を取得する場合、放射線変換パネル１８として、ＦＰＤ３４を選択することができる。さらに、ＩＰやＦＰＤ３４に比較して画質の低下はあるものの、リアルタイムでの動画や立体画像を取得する場合には、放射線変換パネル１８としてＣＣＤを選択することができる。
【００３４】
パネル選択部６４により放射線変換パネル１８が選択されると、撮影条件設定部６８は、選択された放射線変換パネル１８の感度特性に対応した撮影条件を撮影条件記憶部６６から読み出す。
【００３５】
撮影条件記憶部６６には、放射線変換パネル１８の感度特性に応じたＸ線を発生させることのできるターゲット２４、フィルタ２６、管電圧の組み合わせが撮影条件として記憶されている。
【００３６】
図４は、感度特性Ａの放射線変換パネル１８と、感度特性Ｂの放射線変換パネル１８とを例示する。この場合、感度特性Ａ及びＢは、Ｘ線エネルギＥを境にして、感度が逆転している。被写体１２に照射されるＸ線のエネルギがＸ線エネルギＥよりも低く設定されるときには、感度が感度特性Ａよりも高い感度特性Ｂの放射線変換パネル１８が選択され、Ｘ線エネルギがＸ線エネルギＥよりも高く設定されるときには、感度が感度特性Ｂよりも高い感度特性Ａの放射線変換パネル１８が選択される。
【００３７】
例えば、乳房の撮影を行うマンモグラフィ装置においては、乳房によるＸ線の僅かな吸収の差異をできるだけ高い解像度及びコントラストで表示することが要求されるため、低いＸ線エネルギを被写体１２に照射して放射線画像を取得する。従って、Ｘ線エネルギＥ以下では、感度の高い感度特性Ｂの放射線変換パネル１８が選択される。一方、胸部撮影等、Ｘ線の透過率の低い骨部分を含む撮影装置においては、高いＸ線エネルギを被写体１２に照射して放射線画像を取得する。従って、Ｘ線エネルギＥ以上では、感度の高い感度特性Ａの放射線変換パネル１８が選択される。
【００３８】
撮影条件設定部６８は、パネル選択部６４で選択された放射線変換パネル１８の感度特性に応じたＸ線エネルギを得ることのできるターゲット２４、フィルタ２６、管電圧の組み合わせを撮影条件として読み出す。
【００３９】
図５は、ターゲット２４及びフィルタ２６をＭｏとして得られるＸ線スペクトル、図６は、ターゲット２４をＭｏ、フィルタ２６をＲｈとして得られるＸ線スペクトル、図７は、ターゲット２４及びフィルタ２６をＲｈとして得られるＸ線スペクトルである。管電圧を調整することにより、Ｘ線エネルギＥに対するＸ線エネルギの分布を調整することができる。例えば、感度特性Ａの放射線変換パネル１８が選択された場合には、Ｘ線エネルギＥよりも高い部分にＸ線スペクトルが分布するよう、図７に示すターゲット２４、フィルタ２６及び管電圧の組み合わせが撮影条件として選択される。また、感度特性Ｂの放射線変換パネル１８が選択された場合には、Ｘ線エネルギＥよりも低い部分にＸ線スペクトルの主要部が分布するよう、図５又は図６に示すターゲット２４、フィルタ２６及び管電圧の組み合わせが撮影条件として選択される。
【００４０】
撮影条件設定部６８によって設定された撮影条件に基づき、放射線源１４のターゲット２４及びフィルタ２６が選択され、また、線源制御装置１６の管電圧調整器２８により管電圧が調整される。
【００４１】
一方、画像処理条件設定部７４は、パネル選択部６４により選択された放射線変換パネル１８の感度特性に応じた画像処理条件を画像処理条件記憶部７２から読み出し、画像処理部７０に設定する。すなわち、撮影条件設定部６８で設定された撮影条件によるＸ線エネルギが高エネルギ側である場合、放射線画像のコントラストが低くなる傾向にあるため、画像の濃度階調の変化が大きくなる画像処理を施すことのできる画像処理条件を設定する。また、Ｘ線エネルギが低エネルギ側である場合、コントラストが高くなる傾向にあるため、画像の濃度階調の変化が小さくなる画像処理を施すことのできる画像処理条件を設定する。
【００４２】
以上のようにして撮影条件及び画像処理条件を設定した後、放射線画像の撮影を行う。
【００４３】
選択された放射線変換パネル１８に対して、被写体１２の撮影部位を位置決めした後、技師は、曝射スイッチ３２を操作し、Ｘ線を被写体１２に照射する。曝射スイッチ３２が操作されると、高電圧発生器３０によって発生した高電圧が管電圧調整器２８によって所定の管電圧に調整され、放射線源１４の陰極２２に印加される。陰極２２は、電子線をターゲット２４に出力し、ターゲット２４は、所定のＸ線スペクトルからなるＸ線を出力する。ターゲット２４から出力されたＸ線は、フィルタ２６によって無用なＸ線エネルギが除去され、被写体１２に照射される。被写体１２を透過したＸ線は、放射線変換パネル１８によって放射線画像情報に変換される。
【００４４】
ここで、放射線変換パネル１８として、図３に示すＦＰＤ３４が選択された場合について説明する。
【００４５】
ＦＰＤ３４を構成する各画素４２の光電変換層３６は、入射したＸ線を電気信号に変換し、その電気信号が蓄積容量４０に電荷として保持される。次いで、各蓄積容量４０に保持された被写体１２の放射線画像情報である電荷情報は、パネル制御部５４からライン走査駆動部４８及びマルチプレクサ５０に供給されるアドレス信号に従って読み出される。
【００４６】
すなわち、ライン走査駆動部４８のアドレスデコーダ５２は、パネル制御部５４から供給されるアドレス信号に従って選択信号を出力してスイッチＳＷ１の１つを選択し、対応するゲート線４４に接続されたＴＦＴ３８のゲートに制御信号Ｖｏｎを供給する。一方、マルチプレクサ５０のアドレスデコーダ６０は、パネル制御部５４から供給されるアドレス信号に従って選択信号を出力してスイッチＳＷ２を順次切り替え、ライン走査駆動部４８によって選択されたゲート線４４に接続された各画素４２の蓄積容量４０に保持された電荷情報である放射線画像情報を信号線４６を介して順次読み出す。
【００４７】
ＦＰＤ３４の選択されたゲート線４４に接続された各画素４２の蓄積容量４０から読み出された放射線画像情報は、各増幅器５６によって増幅された後、各サンプルホールド回路５８によってサンプリングされ、マルチプレクサ５０を介してＡ／Ｄ変換器６２に供給され、デジタル信号に変換される。デジタル信号に変換された放射線画像情報は、パネル制御部５４により処理装置２０の画像処理部７０に供給される。
【００４８】
同様にして、ライン走査駆動部４８のアドレスデコーダ５２は、パネル制御部５４から供給されるアドレス信号に従ってスイッチＳＷ１を順次切り替え、各ゲート線４４に接続されている各画素４２の蓄積容量４０に保持された電荷情報である放射線画像情報を信号線４６を介して読み出し、マルチプレクサ５０、Ａ／Ｄ変換器６２及びパネル制御部５４を介して画像処理部７０に供給される。
【００４９】
画像処理部７０は、放射線変換パネル１８から供給された放射線画像情報に対して、画像処理条件設定部７４で設定された画像処理条件に従って画像処理を施す。次いで、画像処理された放射線画像情報は、表示部７６に表示され、技師による確認が行われる。表示された放射線画像が適切な画像であることが確認された場合、当該放射線画像情報は、医師による読影診断に供せられる。
【００５０】
なお、放射線変換パネル１８としてＩＰが選択されている場合、画像処理部７０は、放射線画像情報が蓄積記録されたＩＰに対して励起光を照射することで放射線画像情報を輝尽発光光として取り出し、その輝尽発光光をフォトマルチプライア等によって電気信号に変換した後、ＦＰＤ３４から得た放射線画像情報と同様にして、設定した画像処理条件に従った画像処理を施すことで、所望の放射線画像情報を得ることができる。
【００５１】
また、放射線変換パネル１８としてＣＣＤが選択されている場合には、画像処理条件設定部７４は、ＦＰＤ３４から得た放射線画像情報と同様の画像処理を行って所望の放射線画像情報を得ることができる。
【００５２】
なお、本発明は、上述した実施形態に限定されるものではなく、本発明の主旨を逸脱しない範囲で自由に変更できることは勿論である。
【００５３】
放射線変換パネル１８としては、ＩＰ、ＦＰＤ３４、ＣＣＤ以外のものを選択することもできる。例えば、光変換方式の放射線変換パネルを利用して放射線画像情報を取得することもできる。この光変換方式の放射線変換パネルは、多数の固体検出素子をマトリクス状に配列して形成したもので、放射線が照射されると、放射線量に応じた静電潜像が固体検出素子に蓄積記録される。静電潜像を読み取る際には、放射線変換パネルに読取光を照射し、発生した電流の値を放射線画像情報として取得する。この場合、放射線変換パネルは、蓄積性蛍光体パネルと同様に、消去光を放射線変換パネルに照射することで、残存する静電潜像である放射線画像情報を消去して再使用することができる。
【図面の簡単な説明】
【００５４】
【図１】本実施形態の放射線画像撮影システムの構成ブロック図である。
【図２】Ｍｏのターゲットから出力されるＸ線のエネルギ特性（実線）と、ＭｏのフィルタによるＸ線の吸収特性（点線）との関係図である。
【図３】放射線変換パネルの１つであるＦＰＤの回路構成図である。
【図４】２種類の放射線変換パネルの感度特性図である。
【図５】ターゲット及びフィルタをＭｏとして得られるＸ線スペクトルである。
【図６】ターゲットをＭｏ、フィルタをＲｈとして得られるＸ線スペクトルである。
【図７】ターゲット及びフィルタをＲｈとして得られるＸ線スペクトルである。
【符号の説明】
【００５５】
１０…放射線画像撮影システム
１２…被写体
１４…放射線源
１６…線源制御装置
１８…放射線変換パネル
２０…処理装置
２２…陰極
２４…ターゲット
２６…フィルタ
２８…管電圧調整器
３４…ＦＰＤ
６４…パネル選択部
６６…撮影条件記憶部
６８…撮影条件設定部
７０…画像処理部
７２…画像処理条件記憶部
７４…画像処理条件設定部
７６…表示部
【図１】
2010000272.tif 000003
【図２】
2010000272.tif 000004
【図３】
2010000272.tif 000005
【図４】
2010000272.tif 000006
【図５】
2010000272.tif 000007
【図６】
2010000272.tif 000008
【図７】
2010000272.tif 000009